(57)【特許請求の範囲】
【請求項１】
音声信号を入力するための１乃至複数の入力チャンネルと、
選択指示に応じて、第１または第２の録音モードのいずれか一方を選択する録音モード選択手段と、
前記録音モード選択手段によって選択された録音モードに対応する１乃至複数の入力チャンネルを録音対象として設定する設定手段と、
前記設定手段によって録音対象として設定された前記各入力チャンネルから入力される音声信号をオーディオデータとして入力チャンネル毎に記録する録音手段と、
前記録音手段によって入力チャンネル毎に記録されたオーディオデータをＮ（Ｎ≧１）チャンネルのオーディオデータにミックスし、所定のファイルフォーマットのミックスオーディオファイルに変換して出力するミックスオーディオファイル出力手段と
を有することを特徴とするオーディオデータ記録装置。
【請求項２】
前記第１の録音モードが選択された場合にはさらに、前記１乃至複数の入力チャンネルのうち任意の入力チャンネルを選択するチャンネル選択手段をさらに有し、
前記設定手段は、前記第１の録音モードが選択された場合には、前記チャンネル選択手段にて選択された入力チャンネルを録音対象として設定する一方、前記第２の録音モードが選択された場合には、予め定められた特定の入力チャンネルを録音対象として設定することを特徴とする請求項１に記載のオーディオデータ記録装置。
【請求項３】
前記第１の録音モードが選択された場合にはさらに、バンド編成を構成する各演奏パートのうち１乃至複数を選択する演奏パート選択手段をさらに有し、
前記設定手段は、前記第１の録音モードが選択された場合には、前記演奏パート選択手段によって選択された演奏パートに対応する１乃至複数の入力チャンネルを録音対象として設定することを特徴とする請求項１または２に記載のオーディオデータ記録装置。
【請求項４】
楽器演奏あるいは演奏者個別の音声信号を入力する、演奏パートに対応した第１種の音声入力手段と、
スタジオ内に設置された固定マイクからの音声信号を入力する第２種の音声信号入力手段と
をさらに有し、
前記１乃至複数の入力チャンネルはそれぞれ、前記第１種または第２種の音声信号入力手段のいずれか一方に対応しており、
前記設定手段は、前記第１の録音モードが選択された場合には、前記第１種の音声信号入力手段に対応する前記入力チャンネルを録音対象として設定する一方、前記第２の録音モードが選択された場合には、前記第２種の音声信号入力手段に対応する前記入力チャンネルを録音対象として設定する
ことを特徴とする請求項１〜３のいずれかに記載のオーディオデータ記録装置。
【請求項５】
出力指示に応じて、前記入力チャンネル毎に記録されたオーディオデータをマルチトラックオーディオデータとして外部に出力するマルチトラックオーディオデータ出力手段をさらに有することを特徴とする請求項１〜４のいずれかに記載のオーディオデータ記録装置。
【請求項６】
保存指示に応じて、前記入力チャンネル毎に記録されたオーディオデータを１まとめのマルチトラックオーディオデータとして保存する保存手段をさらに有し、
前記ミックスオーディオファイルは、前記保存指示に応じて生成されることを特徴とする請求項１〜５のいずれかに記載のオーディオデータ記録装置。
【請求項７】
請求項１〜６のいずれかに記載のオーディオデータ記録装置と、該オーディオデータ記録装置と通信回線を介して接続された共有サーバとからなるオーディオデータ記録・利用システムであって、
前記オーディオデータ記録装置の前記ミックスオーディオファイル出力手段は、ミックスオーディオファイルを、前記通信回線を介して前記共有サーバにアップロードし、
前記共有サーバは、
前記オーディオデータ記録装置からアップロードされたミックスオーディオファイルを受信して保存する保存手段と、
ユーザ端末からの配信要求に応じて、前記保存手段によって保存されたミックスオーディオファイルを当該ユーザ端末に配信する配信手段と
を有する
ことを特徴とするオーディオデータ記録・利用システム。
【請求項８】
前記オーディオデータ記録装置のミックスオーディオファイル出力手段は、アップロードするミックスオーディオファイルに対応するユーザ識別情報もアップロードし、
前記共有サーバの前記保存手段は、前記オーディオデータ記録装置からアップロードされたユーザ識別情報も受信し、前記受信したミックスオーディオファイルを前記受信したユーザ識別情報に関連付けて保存し、
前記ユーザ端末からの配信要求は、当該配信要求を送信するユーザ端末の利用者に対応するユーザ識別情報を含み、
前記共有サーバの前記配信手段は、前記配信要求に含まれるユーザ識別情報と一致するユーザ識別情報に関連付けて保存されたミックスオーディオファイルを当該ユーザ端末に配信する
ことを特徴とする請求項７に記載のオーディオデータ記録・利用システム。
【発明の詳細な説明】
【技術分野】
【０００１】
本発明は、オーディオデータ記録装置および、当該記録装置、スタジオサーバ、共有サーバおよびユーザ端末からなるオーディオデータ記録・利用システムに関する。
【背景技術】
【０００２】
スタジオ内で行った演奏を録音して生成した録音データを、スタジオ外で取り出して利用するシステムは、従来から知られている。
【０００３】
このようなシステムとして、会員バンドのバンドメンバが、スタジオで借り受けた録音装置をスタジオ内に自ら設置して、演奏を録音した後、録音装置をアップロード装置に接続して、録音データをサーバ装置にアップロードできるようにしたものがある（たとえば、特許文献１参照）。アップロードされると、アップロード装置および録音装置にそれぞれ保存されている録音データは自動的に消去される。バンドメンバはその後、録音装置をスタジオに返却して、そのまま帰宅し、自宅のユーザ端末（たとえば、パーソナルコンピュータ）からサーバ装置にアクセスし、上記アップロードした録音データをダウンロードして、そのユーザ端末あるいはオーディオ装置で再生する。これにより、バンドメンバは、スタジオ演奏の録音データを持ち帰る必要がなくなるとともに、各バンドメンバ間で当該録音データをダビングしたり頒布したりする手間を省くことができる。
【先行技術文献】
【特許文献】
【０００４】
【特許文献１】特開２００５−３１６８９１号公報
【発明の概要】
【発明が解決しようとする課題】
【０００５】
しかし、上記従来のシステムで用いる録音装置は、２チャンネルのマイクを備え、このマイクから入力されたアナログ音声信号をデジタル音声信号に変換して録音する可搬型の録音機であるので、この録音機を用いて、チャンネル数および音質ともに高品位な録音データを生成して保存することはできなかった。
【０００６】
また、録音装置の設置は利用者が行わなければならず、しかも録音装置の設置位置（マイクの位置や方向等）は録音状態の良否に影響を及ぼすため、利用者に多大な負荷を生じさせることになる。
【０００７】
さらに、録音データをアップロードする手順が煩雑であり、機器の操作に不慣れな利用者にとっては、その作業が困難である。
【０００８】
本発明は、この点に着目してなされたものであり、高品位な録音データを簡単に生成して簡単に利用することが可能となるオーディオデータ記録装置およびオーディオデータ記録・利用システムを提供することを目的とする。
【課題を解決するための手段】
【０００９】
上記目的を達成するため、請求項１に記載のオーディオデータ記録装置は、音声信号を入力するための１乃至複数の入力チャンネルと、選択指示に応じて、第１または第２の録音モードのいずれか一方を選択する録音モード選択手段と、前記録音モード選択手段によって選択された録音モードに対応する１乃至複数の入力チャンネルを録音対象として設定する設定手段と、前記設定手段によって録音対象として設定された前記各入力チャンネルから入力される音声信号をオーディオデータとして入力チャンネル毎に記録する録音手段と、前記録音手段によって入力チャンネル毎に記録されたオーディオデータをＮ（Ｎ≧１）チャンネルのオーディオデータにミックスし、所定のファイルフォーマットのミックスオーディオファイルに変換して出力するミックスオーディオファイル出力手段とを有することを特徴とする。
【００１０】
請求項２に記載のオーディオデータ記録装置は、請求項１のオーディオデータ記録装置において、前記第１の録音モードが選択された場合にはさらに、前記１乃至複数の入力チャンネルのうち任意の入力チャンネルを選択するチャンネル選択手段をさらに有し、前記設定手段は、前記第１の録音モードが選択された場合には、前記チャンネル選択手段にて選択された入力チャンネルを録音対象として設定する一方、前記第２の録音モードが選択された場合には、予め定められた特定の入力チャンネルを録音対象として設定することを特徴とする。
【００１１】
請求項３に記載のオーディオデータ記録装置は、請求項１または２のオーディオデータ記録装置において、前記第１の録音モードが選択された場合にはさらに、バンド編成を構成する各演奏パートのうち１乃至複数を選択する演奏パート選択手段をさらに有し、前記設定手段は、前記第１の録音モードが選択された場合には、前記演奏パート選択手段によって選択された演奏パートに対応する１乃至複数の入力チャンネルを録音対象として設定することを特徴とする。
【００１２】
請求項４に記載のオーディオデータ記録装置は、請求項１〜３のいずれかのオーディオデータ記録装置において、楽器演奏あるいは演奏者個別の音声信号を入力する、演奏パートに対応した第１種の音声入力手段と、スタジオ内に設置された固定マイクからの音声信号を入力する第２種の音声信号入力手段とをさらに有し、前記１乃至複数の入力チャンネルはそれぞれ、前記第１種または第２種の音声信号入力手段のいずれか一方に対応しており、前記設定手段は、前記第１の録音モードが選択された場合には、前記第１種の音声信号入力手段に対応する前記入力チャンネルを録音対象として設定する一方、前記第２の録音モードが選択された場合には、前記第２種の音声信号入力手段に対応する前記入力チャンネルを録音対象として設定することを特徴とする。
【００１３】
請求項５に記載のオーディオデータ記録装置は、請求項１〜４のいずれかのオーディオデータ記録装置において、出力指示に応じて、前記入力チャンネル毎に記録されたオーディオデータをマルチトラックオーディオデータとして外部に出力するマルチトラックオーディオデータ出力手段をさらに有することを特徴とする。
【００１４】
請求項６に記載のオーディオデータ記録装置は、請求項１〜５のいずれかのオーディオデータ記録装置において、保存指示に応じて、前記入力チャンネル毎に記録されたオーディオデータを１まとめのマルチトラックオーディオデータとして保存する保存手段をさらに有し、前記ミックスオーディオファイルは、前記保存指示に応じて生成されることを特徴とする。
【００１５】
上記目的を達成するため、請求項７に記載のオーディオデータ記録・利用システムは、請求項１〜６のいずれかに記載のオーディオデータ記録装置と、該オーディオデータ記録装置と通信回線を介して接続された共有サーバとからなるオーディオデータ記録・利用システムであって、前記オーディオデータ記録装置の前記ミックスオーディオファイル出力手段は、ミックスオーディオファイルを、前記通信回線を介して前記共有サーバにアップロードし、前記共有サーバは、前記オーディオデータ記録装置からアップロードされたミックスオーディオファイルを受信して保存する保存手段と、ユーザ端末からの配信要求に応じて、前記保存手段によって保存されたミックスオーディオファイルを当該ユーザ端末に配信する配信手段とを有することを特徴とする。
【００１６】
請求項８に記載のオーディオデータ記録・利用システムは、請求項７のオーディオデータ記録・利用システムにおいて、前記オーディオデータ記録装置のミックスオーディオファイル出力手段は、アップロードするミックスオーディオファイルに対応するユーザ識別情報もアップロードし、前記共有サーバの前記保存手段は、前記オーディオデータ記録装置からアップロードされたユーザ識別情報も受信し、前記受信したミックスオーディオファイルを前記受信したユーザ識別情報に関連付けて保存し、前記ユーザ端末からの配信要求は、当該配信要求を送信するユーザ端末の利用者に対応するユーザ識別情報を含み、前記共有サーバの前記配信手段は、前記配信要求に含まれるユーザ識別情報と一致するユーザ識別情報に関連付けて保存されたミックスオーディオファイルを当該ユーザ端末に配信することを特徴とする。
【発明の効果】
【００１７】
本発明によれば、オーディオデータ記録装置を用いてマルチトラック録音し、オーディオデータを生成するようにしたので、高品位な録音データを生成することができる。そして、録音の対象となる入力チャンネルおよび当該チャンネルでの信号処理に用いる信号処理パラメータの値は、選択手段によって選択された録音モードに対応するものが選択乃至設定され、ユーザが一々行わなくてもよいので、高品位な録音データを簡単に生成することができる。さらに、マルチトラック録音されたオーディオデータは、ミックスされた後所定のファイルフォーマットのファイルに変換されて出力されるので、ユーザは簡単に録音データを利用することができる。しかも録音データは、マルチトラック録音されたオーディオデータをミックスしたものであるので、高品位である。
【図面の簡単な説明】
【００１８】
【図１】本発明の一実施の形態に係るオーディオデータ記録装置およびオーディオデータ記録・利用システムの概略構成を示すブロック図（（ａ））およびレコーダ周りのオーディオ信号の入出力経路を示すブロック図（（ｂ））である。
【図２】選択可能なパートのそれぞれに対して割り当てられる入力ｃｈの一例を示す図である。
【図３】図１のＵＩ部が実行するメインルーチンの手順を示すフローチャートである。
【図４】図１のＵＩ部のディスプレイに表示された各種画面例を示す図である。
【発明を実施するための形態】
【００１９】
以下、本発明の実施の形態を図面に基づいて詳細に説明する。
【００２０】
図１は、本発明の一実施の形態に係るオーディオデータ記録装置およびオーディオデータ記録・利用システムの概略構成を示すブロック図（（ａ））およびレコーダ周りのオーディオ信号の入出力経路を示すブロック図（（ｂ））である。
【００２１】
図１（ａ）に示すように、本実施の形態のオーディオデータ記録・利用システムは、スタジオ１００内に設けられた各種装置１０１〜１０４と、通信ネットワーク（本実施の形態では、インターネット）上に設けられた共有サーバ２０１と、ユーザ端末３０１とによって構成されている。図示例では、スタジオ１００、共有サーバ２０１およびユーザ端末３０１はいずれも単数としたが、これは説明を簡単化するためにそうしているのであって、それぞれの個数は単数であっても複数であってもよい。たとえば、スタジオ１００およびユーザ端末３０１をそれぞれ複数とし、共有サーバ２０１を単数としてもよいし、共有サーバ２０１も複数としてもよい。
【００２２】
スタジオ１００内には、オーディオ信号処理部１０１、レコーダ１０２、ＵＩ（User Interface）部１０３およびスタジオサーバ１０４が、主として設けられている。これらの装置が一体をなして、オーディオデータ記録装置を構成する。
【００２３】
オーディオ信号処理部１０１は、図１（ｂ）に示すように、複数のマイク入力１０１ａ，１０１ｂと、複数のライン入力１０１ｃと、入力パッチ１０１ｄと、複数（本実施の形態では、２４系統）の入力チャンネル（ｃｈ）１０１ｅと、ミキシング（ｍｉｘ）バス１０１ｆと、出力パッチ１０１ｇと、複数のモニタスピーカ出力１０１ｈとにより構成されている。
【００２４】
マイク入力の種類には、スタジオ１００の天井に設置された複数の天井マイク（図示せず）からの信号を入力する天井マイク入力１０１ａと、楽器毎に個別に設置された個別マイク（図示せず）からの信号を入力する個別マイク入力１０１ｂがある。楽器によっては、演奏音をマイクから入力するのではなく、ライン入力から入力するものもあるが、その種の楽器には、マイクに代えて、ライン入力１０１ｃを用いるようにすればよい。なお、各マイクの設置位置や方向などは予めセッティングされているが、もちろん、微調整は適宜行えるようになっている。また、個別マイクは、楽器毎に１台とは限らず、複数台設置されていることもある。たとえば、ドラム用の個別マイクは７台設置される（後述する図２参照）。
【００２５】
入力パッチ１０１ｄは、各マイク入力１０１ａ，１０１ｂおよび各ライン入力１０１ｃから入力される各オーディオ信号を入力ｃｈ１０１ｅのいずれかに割り当てるものである。本実施の形態では、各マイク入力１０１ａ，１０１ｂおよび各ライン入力１０１ｃから入力された各アナログオーディオ信号をデジタル変換し（以下「オーディオデータ」という）、アナログ信号またはオーディオデータに対してゲイン調整、フィルタリングおよびイコライジングなどの各種信号処理を施すので、各マイク入力１０１ａ，１０１ｂおよび各ライン入力１０１ｃとｍｉｘバス１０１ｆとの間には、図示しないアンプ、フィルタ、イコライザおよびＡＤＣ（analog-to-digital converter）などが設けられている。なお、各種信号処理を施す対象、つまり、マイク入力１０１ａ，１０１ｂまたはライン入力１０１ｃから入力されるアナログオーディオ信号の種類（楽器音かボーカル音か、楽器音であれば、どの楽器の音であるか、など）が決まれば、その信号処理に用いる各種パラメータの値が決定されて自動的に設定される。信号処理のパラメータとは、たとえば、フィルタ係数やゲイン等、公知の音声信号処理に用いられるパラメータであり、信号の種類（後述するように、パートの種類）毎に予め定められている。もちろん、自動設定されるパラメータの内容は、適宜調整することができる。
【００２６】
図２は、選択可能なパートのそれぞれに対して割り当てられる入力ｃｈ１０１ｅの一例を示す図である。パートは、上記アナログオーディオ信号の種類に相当するので、パートが選択されれば、選択されたパート用の個別マイクがオン状態となり、その個別マイク入力１０１ｂを介して供給されるオーディオデータは、入力パッチ１０１ｄにて当該パートに応じた入力ｃｈに割り当てられる。つまり本実施の形態では、パートとパート毎に割り当てられる入力ｃｈの個数とｃｈ番号は固定的に決まっている。なお、図示を省略しているが、天井マイク入力１０１ａに対しても入力ｃｈが固定的に決まっており、たとえば、天井マイクが２本ある場合には、ｃｈ２５，２６が割り当てられている。
【００２７】
入力ｃｈ１０１ｅのｃｈ数は、本実施の形態では “２６”とするが、もちろん、これより多くても少なくてもよい。各入力ｃｈ１０１ｅは、ＵＩ部１０３からの指示に応じてオン／オフ設定することができ、オフ設定されている入力ｃｈ１０１ｅには、有効なオーディオデータが入力されていたとしても、そのオーディオデータは、後段のｍｉｘバス１０１ｆに出力されない。
【００２８】
ｍｉｘバス１０１ｆは、入力ｃｈ１０１ｅから入力された各オーディオデータを任意に組み合わせてミキシングし、そのミキシング結果を後段の出力パッチ１０１ｇに出力する。なお「任意に組み合わせて」には、組み合わせないで、つまりミキシングしないで、入力ｃｈ１０１ｅからの出力をそのまま出力パッチ１０１ｇに出力することも含まれている。
【００２９】
出力パッチ１０１ｇは、ｍｉｘバス１０１ｆから供給されたミキシングされた（あるいはミキシングされない）オーディオデータをモニタスピーカ出力１０１ｈまたはレコーダ１０２に任意に割り当てて出力する。
【００３０】
なお、入力パッチ１０１ｄ〜出力パッチ１０１ｇの構成は、上記のものに限らない。入信号に信号処理を施して、適宜混合し、あるいはそのまま、モニタスピーカ出力１０１ｈまたはレコーダ１０２に出力できるようなものであればよい。
【００３１】
図１（ａ）に戻り、レコーダ１０２は、少なくとも２以上の入力ｃｈを備え、ｃｈ毎に独立したトラックにオーディオデータを記録するマルチトラックレコーダである。なお、レコーダ１０２の入力ｃｈは、入力ｃｈ１０１ｅのｃｈ数と同数以上備えることが望ましい。本実施の形態では、入力ｃｈ１０１ｅのｃｈ数と同数とする。レコーダ１０２には、出力パッチ１０１ｇにより、入力ｃｈ１０１ｅのうち、オン設定されているｃｈからそれぞれ入力される各オーディオデータがそのまま、つまりミキシングされないで供給され、レコーダ１０２は、マルチトラック録音を行って、Ｎトラック（ｔｒ．）オーディオデータ（マルチトラックオーディオデータ）を生成する。ここで、「Ｎトラック」の“Ｎ”は、１〜２４のいずれかの整数値であり、オン設定されているｃｈ数に相当する。つまり本実施の形態では、マルチトラック録音によって生成されるオーディオデータのトラック数は、供給される有効なオーディオデータのｃｈ数に応じて変動する。もちろんこれに限らず、マルチトラック録音によって生成されるオーディオデータのトラック数は常に固定値（本実施の形態では、入力ｃｈ１０１ｅのｃｈ数と同数の２６トラック）としてもよい。なお、パートに対応する入力ｃｈ１０１ｅが複数あるような場合には、これら複数ｃｈの信号をｍｉｘバス１０１ｆにて混合し、１ｃｈの信号にしたものをレコーダ１０２の１の入力ｃｈに供給するようにしてもよい。
【００３２】
またレコーダ１０２は、エンコーダ１０２ａを備え、上記Ｎｔｒ．オーディオデータをｍｉｘバス１０１ｆにてステレオ２ｃｈのオーディオデータにミックスした後、エンコーダ１０２ａに供給すると、エンコーダ１０２ａは、これをＭＰ３（MPEG Audio Layer-3）フォーマットで圧縮してＭＰ３ファイル（ミックスオーディオファイル）を生成する。
【００３３】
ＵＩ部１０３は、本実施の形態では、スレートＰＣ（slate PC）に代表されるスレートデバイス（slate device）によって構成され、ディスプレイとして、タッチパネル方式のＬＣＤ（liquid crystal display）を備えている。ユーザは、ディスプレイに対するタッチ操作により、オーディオ信号処理部１０１およびレコーダ１０２に各種制御指示を行う。各種制御指示には、たとえば、レコーダ１０２に対する録音（Ｒｅｃ）指示、ＭＰ３エンコード（Ｅｎｃ）指示、各ｃｈ毎の信号処理パラメータの種類およびその値の選択指示、オーディオ信号処理部１０１に対する入力ｃｈ１０１ｅ毎のオン／オフ指示などがある。
【００３４】
スタジオサーバ１０４は、一般的なサーバコンピュータあるいはパーソナルコンピュータ（その具体的な構成については、図示も説明も省略する）によって構成され、レコーダ１０２によってマルチトラック録音されて生成されたＮｔｒ．オーディオデータおよびエンコーダ１０２ａによって生成されたＭＰ３ファイルを一時的に記憶する。スタジオサーバ１０４は、本実施の形態ではインターネットを介して共有サーバ２０１と常時接続され、レコーダ１０２から転送されてきたＭＰ３ファイルを共有サーバ２０１にアップロードする。アップロードが完了したＭＰ３ファイルはスタジオサーバ１０４から適宜消去され、たとえば、アップロード完了時に自動的に消去される。一方、Ｎｔｒ．オーディオデータは、スタジオサーバ１０４に対するユーザの操作指示に応じてスタジオサーバ１０４から読み出されて、記録媒体等に保存される。スタジオサーバ１０４には、今回録音したものに限らず、過去に録音したＮｔｒ．オーディオデータが保存されるが、ユーザあるいは管理者がスタジオサーバ１０４に対して消去指示を行ったときに、スタジオサーバ１０４から適宜消去されるようにしてもよい。
【００３５】
共有サーバ２０１は、スタジオサーバ１０４と同様に、一般的なサーバコンピュータ（その具体的な構成については、図示も説明も省略する）によって構成され、スタジオサーバ１０４からアップロードされたＭＰ３ファイルを当該ユーザに対応付けて保存し、当該ユーザ（のユーザ端末３０１）からの要求に応じて、保存したＭＰ３ファイルをダウンロード（ＤＬ）配信する。
【００３６】
ユーザ端末３０１は、一般的なパーソナルコンピュータ（ＰＣ）（その具体的な構成については、図示も説明も省略する）によって構成され、ユーザの自宅等に置かれている。もちろん、ユーザ端末３０１は携帯型のもので構成することもでき、この場合には、ユーザ端末３０１は常にユーザの自宅に置かれている訳ではない。ユーザ端末３０１は、本実施の形態ではインターネットを介して共有サーバ２０１と接続でき、上述のように、共有サーバ２０１に保存されているＭＰ３ファイルをダウンロードする。ダウンロードされたＭＰ３ファイルは、ユーザ端末３０１によって自由に再生される。
【００３７】
以上のように構成されたオーディオデータ記録・利用システムが実行する制御処理を、図３および図４を参照して詳細に説明する。
【００３８】
本実施の形態のオーディオデータ記録・利用システムは、主として、
Ａ．会員バンドのバンドメンバがスタジオ１００に集まって演奏し、その演奏を録音して前記Ｎｔｒ．オーディオデータを生成する録音処理
Ｂ．スタジオ１００内で上記Ｎｔｒ．オーディオデータを再生する再生処理
Ｃ．スタジオ１００内で上記Ｎｔｒ．オーディオデータからＭＰ３ファイルを生成する生成処理
Ｄ．スタジオ１００内で上記ＭＰ３ファイルを共有サーバ２０１に転送する転送処理
Ｅ．共有サーバ２０１に対するユーザ端末３０１からのダウンロード指示に応じて、共有サーバ２０１が自身の記憶装置に保存されたＭＰ３ファイルを読み出してユーザ端末３０１にダウンロード配信するダウンロード配信処理
を実行する。以下、Ａ．〜Ｅ．の各処理を順に説明する。
【００３９】
会員バンドのバンドメンバがスタジオ１００に行き、バンドメンバの一人（ユーザ）が、たとえば非接触型ＩＣカード（integrated circuit card）からなる会員カードをカードリーダにかざして、スタジオサーバ１０４にログインすると、レコーダ１０２でのオーディオデータ記録が利用可能状態となる。このログイン処理に必要な手続、つまり、会員登録や、会員情報（ＩＤ、パスワード、バンド名など）を登録した会員カードの発行などは、ログイン前に事前になされているものとする。また会員カードは、非接触型ＩＣカードに限らず、接触型ＩＣカードを採用してもよいし、ログイン方法も、ＩＣカードとカードリーダを用いた方法に限らず、スタジオサーバ１０４の入力デバイス（たとえば、キーボードやタッチパネルなど）を用いて直接、ユーザが会員情報を入力する方法など、どのような方法を採用してもよい。
【００４０】
図３は、ＵＩ部１０３（の図示しないＣＰＵ）が実行するメインルーチンの手順を示すフローチャートであり、本メインルーチンは、たとえば、ＵＩ部１０３に電源が供給されたときに、起動される。
【００４１】
本メインルーチンが起動すると、まずＵＩ部１０３は、初期化処理を実行する（ステップＳ１）。初期化処理では、ＵＩ部１０３は、ＲＡＭ（図示せず）をクリアしたり、録音モードをデフォルトモード（たとえば、マルチ録音モード）に設定したり、レコーダ１０２の録音トラックをクリアするコマンドをレコーダ１０２に送信したりする。
【００４２】
次にＵＩ部１０３は、前記ディスプレイに初期画面を表示する（ステップＳ２）。図４は、このディスプレイに表示された各種画面例を示す図であり、同図（ａ）は、初期画面の一例を示している。初期画面は、録音モードを選択するためのものであり、同図（ａ）には、「マルチ録音」ボタン（上の文字）が白抜き表示されて、マルチ録音モードが選択された状態が描かれている。現在選択中のマルチ録音モードをもう一方の天井マイク録音モードに移行させたい場合には、ユーザは「天井マイク録音」ボタンをタッチする。これにより、「天井マイク録音」ボタンが白抜き表示に変化する一方、「マルチ録音」ボタンが通常表示に変化して、天井マイク録音モードが選択状態となる。
【００４３】
次に、ユーザが「マルチ録音」ボタンをタッチして（デフォルトモードから変更されていなければ、タッチしなくてもよい）マルチ録音モードを選択した後、「次へ」の矢印をタッチしたときには、ＵＩ部１０３は、処理をバンド編成選択に進める（ステップＳ３→Ｓ４）一方、ユーザが「天井マイク録音」ボタンをタッチして天井マイク録音モードを選択した後、「次へ」の矢印をタッチしたときには、ＵＩ部１０３は、バンド編成選択をスキップして処理を入力パッチ１０１ｄおよび入力ｃｈ１０１ｅの設定処理に進める（ステップＳ３→Ｓ５）。なお本実施の形態では、録音モードの選択から次の動作状態への移行は、「次へ」の矢印をタッチしたことに応じてなされるが、これに限らず、「マルチ録音」ボタンあるいは「天井マイク録音」ボタンをタッチしたことに応じて即座に（つまり、「次へ」の矢印をタッチせずに）、次の動作状態へ移行させるようにしてもよい。
【００４４】
図４（ｂ）は、処理が前記ステップＳ４のバンド編成選択に進んだときにディスプレイ上に表示されるバンド編成選択画面の一例を示す図である。バンド編成は、編成したいバンドを構成するパート（楽器あるいは歌声の種類に相当する）を選択することによって行うので、バンド編成選択画面には、選択可能なパートが割り当てられた複数（図示例では、４×４＝１６個）のボタンが表示されている。ユーザは、表示されたボタンを任意にタッチして、バンド編成を選択する。各パートの選択／非選択は、対応するボタンをタッチする度にトグルでなされ、選択されたパートのボタンは、白抜き表示される。
【００４５】
このようにしてバンド編成を選択した後、ユーザが「次へ」の矢印をタッチすると、ＵＩ部１０３は、処理を前記ステップＳ５の入力パッチ１０１ｄおよび入力ｃｈ１０１ｅの設定処理に進める。一方、ユーザが「録音メニューに戻る」の矢印をタッチすると、ＵＩ部１０３は、処理を前記ステップＳ２の初期画面の表示に戻す。なお、この「初期画面の表示に戻す」処理は、図３のフローチャートでは省略している。
【００４６】
マルチ録音モードが選択された状態で、処理が入力パッチ１０１ｄおよび入力ｃｈ１０１ｅの設定処理に進んだ場合、ＵＩ部１０３は、入力パッチ１０１ｄに対して、選択されたパートのマイク入力またはライン入力を対応する入力ｃｈに供給させ、入力ｃｈ１０１ｅに対して、選択されたパートが割り当てられたｃｈをオン設定させるとともに、それ以外のｃｈをオフ設定させた後、ディスプレイ上に図４（ｃ）の録音前画面を表示させる。バンド編成が、たとえば前記図４（ｂ）の画面のように選択された場合、つまり、ドラム、ベース、ギター１、シンセサイザおよびヴォーカルの５パートが選択された場合、前記図２のパートと入力ｃｈの対応テーブルによれば、入力ｃｈ１０１ｅの２４ｃｈのうち、ｃｈ１〜９，１３，１４および１８がオン設定され、それ以外のｃｈがオフ設定される。
【００４７】
一方、天井マイク録音モードが選択された状態で、処理が入力パッチ１０１ｄおよび入力ｃｈ１０１ｅの設定処理に進んだ場合、ＵＩ部１０３は、入力パッチ１０１ｄに対して、天井マイク入力１０１ａを対応する入力ｃｈに供給させ、入力ｃｈ１０１ｅに対して、天井マイク入力１０１ａからのオーディオデータが割り当てられたｃｈをオン設定させるとともに、それ以外のｃｈをオフ設定させた後、ディスプレイ上に上記図４（ｃ）の録音前画面とほぼ同様の画面を表示する。このとき表示される録音前画面は、図４（ｃ）の録音前画面に対して、戻る矢印に付与された文言が異なっている。具体的には、図４（ｃ）の録音前画面では「バンド編成画面に戻る」であるのに対して、天井マイク録音モード選択時の録音前画面では「録音メニューに戻る」である。
【００４８】
選択された録音モード乃至パート（入力ｃｈ）に対応する信号処理パラメータは、予め不図示のコンソールパネル等を利用して設定された上、オーディオ信号処理部１０１のパラメータ記憶部（不図示）に保持されている。オーディオ信号処理部１０１は、ｃｈがオン設定されたことに応じて当該ｃｈに対応する信号処理パラメータをパラメータ記憶部から読み出して適用することにより、録音モード乃至パート毎に調整された信号処理を実行する。なお本実施の形態のように、パートあるいは天井マイクと入力ｃｈとが固定的に決まっているような場合には、予めオーディオ信号処理部１０１の各入力ｃｈの信号処理パラメータを予め設定・保持しておき、ｃｈのオン／オフ設定のみを切り替えるようにしてもよい。
【００４９】
次にユーザが、図４（ｃ）の録音前画面内の「録音する」ボタンをタッチすると、ＵＩ部１０３は、録音開始コマンドを発行してレコーダ１０２に送信した後、ディスプレイ上に図４（ｄ）の録音中画面を表示する（ステップＳ６）。一方、ユーザが「バンド編成画面に戻る」（天井マイク録音モード選択時は、「録音メニューに戻る」）の矢印をタッチすると、ＵＩ部１０３は、処理を前記ステップＳ４のバンド編成選択（天井マイク録音モード選択時は、前記ステップＳ２の初期画面の表示）に戻す。なお、この「バンド編成選択に戻す」（あるいは「初期画面の表示に戻す」）処理は、図３のフローチャートでは省略している。
【００５０】
そしてユーザが、図４（ｄ）の録音中画面内の「録音終了」をタッチすると、ＵＩ部１０３は、録音停止コマンドを発行してレコーダ１０２に送信した後、ディスプレイ上に図４（ｅ）の再生前画面を表示する（ステップＳ６）。
【００５１】
レコーダ１０２は、録音開始コマンドを受信したことに応じて、選択したパートあるいは天井マイクに対応する入力ｃｈ１０１ｅから入力されるオーディオデータのマルチトラック録音を開始し、録音停止コマンドを受信したことに応じて、そのマルチトラック録音を停止する。これにより、前記Ｎｔｒ．オーディオデータが生成される。このように本実施の形態では、マルチトラック録音の停止は、録音停止コマンドを受信したことに応じてのみなされるが、これに限らず、最大録音時間（たとえば、１０分）を設定できるようにしておき、最大録音時間を超えても録音停止コマンドが受信されないときには、その最大録音時間で自動的に録音を終了するようにしてもよい。ここまでが、前記Ａ．録音処理についての説明である。
【００５２】
次にユーザが、図４（ｅ）の再生前画面内の「再生」ボタンをタッチすると、ＵＩ部１０３は、再生開始コマンドを発行してレコーダ１０２に送信した後、ディスプレイ上に図４（ｆ）の再生中画面を表示する（ステップＳ６）。一方、ユーザが「録音に戻る」の矢印をタッチすると、ＵＩ部１０３は、ディスプレイ上に図４（ｃ）の録音前画面を再表示する。このとき、前記マルチトラック録音して生成したＮｔｒ．オーディオデータをクリアするようにしてもよい。また、ユーザが「次へ」の矢印をタッチすると、ＵＩ部１０３は、ディスプレイ上に図４（ｇ）の保存画面を表示する。なお、この「録音前画面を再表示する」処理と「保存画面を表示する」処理は、図３のフローチャートでは省略している。
【００５３】
そしてユーザが、図４（ｆ）の再生中画面内の「再生終了」をタッチすると、ＵＩ部１０３は、再生停止コマンドを発行してレコーダ１０２に送信した後、ディスプレイ上に図４（ｇ）の保存画面を表示する（ステップＳ７）。
【００５４】
レコーダ１０２は、再生開始コマンドを受信したことに応じて、前記Ｎｔｒ．オーディオデータの再生を開始し、再生停止コマンドを受信したことに応じて、その再生を停止する。なお、上記「再生終了」をタッチする前に、Ｎｔｒ．オーディオデータの再生が末尾まで進む場合がある。この場合には、ＵＩ部１０３は自動的に、上記保存画面を表示するようにすればよい。また、レコーダ１０２は、録音停止コマンドを受信してマルチトラック録音を終了するときには、マルチトラック録音によって生成されたＮｔｒ．オーディオデータの先頭位置を再生開始位置に設定しておく。これにより、レコーダ１０２は、再生開始コマンドを受信すると直ぐに、Ｎｔｒ．オーディオデータの再生を開始できる。また、Ｎｔｒ．オーディオデータの再生によって生成されるオーディオ信号は、ｍｉｘバス１０１ｆにてモニタ出力用にミキシングされ、前記モニタスピーカ出力１０１ｈに供給されて、スタジオ内のモニタスピーカ（図示せず）にて発音される。ここまでが、前記Ｂ．再生処理についての説明である。
【００５５】
次にユーザが、図４（ｇ）の保存画面内の「保存する」ボタンをタッチすると、ＵＩ部１０３は、保存コマンドを発行してレコーダ１０２に送信する（ステップＳ７→Ｓ８）。レコーダ１０２は、保存コマンドを受信したことに応じて、Ｎｔｒ．オーディオデータに一意的な名称を付与し、ソースファイル（ソースデータ）として保存するとともに、Ｎｔｒ．オーディオデータを２ｃｈにミックスしたものをエンコーダ１０２ａに供給する。エンコーダ１０２ａは、この２ｃｈのオーディオデータをＭＰ３フォーマットで圧縮し、前記一意的な名称に拡張子“ｍｐ３”を付与したＭＰ３ファイルとして保存する。ここまでが、前記Ｃ．生成処理についての説明である。
【００５６】
続いてＵＩ部１０３は、転送コマンドを発行してレコーダ１０２に送信する（ステップＳ９）。レコーダ１０２は、転送コマンドを受信したことに応じて、上記ソースファイルおよびＭＰ３ファイルをスタジオサーバ１０４に転送する。スタジオサーバ１０４は、受信したソースファイルを記憶装置（図示せず）内に設けられた、認証ユーザに対応する記憶領域に保存するとともに、受信したＭＰ３ファイルをユーザ情報（会員情報）と一緒に共有サーバ２０１にアップロードする。共有サーバ２０１は、スタジオサーバ１０４からアップロードされたＭＰ３ファイルを受信すると、そのＭＰ３ファイルを、同時に受信したユーザ情報に含まれる認証ユーザに対応する記憶領域（図示しない記憶装置内に設けられた領域）に保存する。なお、スタジオサーバ１０４に保存されたＭＰ３ファイルは、アップロード後適宜に消去され、たとえば、アップロード後自動的に消去される。また、レコーダ１０２内のソースファイルおよびＭＰ３ファイルも、転送後適宜に消去され、たとえば、転送後自動的に消去される。ここまでが、前記Ｄ．転送処理についての説明である。
【００５７】
一方、ユーザが図４（ｇ）の保存画面内の「保存しない」ボタンをタッチすると、ＵＩ部１０３は、ディスプレイ上に前記図４（ｃ）の録音前画面を表示させて、録音待機状態に戻す（ステップＳ７→Ｓ６）。このとき、前記マルチトラック録音して生成したＮｔｒ．オーディオデータをクリアするようにしてもよい。なお、「保存しない」ボタンをタッチした場合の戻り先は、録音待機状態に限らず、録音モード選択状態（前記図４（ａ）の初期画面が表示される状態）であっても、バンド編成選択状態（前記図４（ｂ）のバンド編成選択画面が表示される状態）であってもよい。
【００５８】
次に、ユーザがスタジオサーバ１０４に対してログオフ手続を行うと、スタジオサーバ１０４は、ログオフコマンドを発行してＵＩ部１０３に送信する。ＵＩ部１０３は、スタジオサーバ１０４からログオフコマンドが送信されたかどうかを常時チェックし（ステップＳ１０）、ログオフコマンドが送信されると、終了処理を実行した（ステップＳ１１）後、本メインルーチンを終了する。終了処理としては、次にログインするユーザのために、現ユーザに関する情報やデータをクリアする処理が挙げられる。
【００５９】
一方、ログオフコマンドが送信されなければ、ＵＩ部１０３は、処理を前記録音待機状態に戻す（ステップＳ１０→Ｓ６）。
【００６０】
レコーダ１０２も同様に、スタジオサーバ１０４からのログオフコマンドの送信を常時チェックし、ログオフコマンドの送信があったときには、所定の終了処理を実行し、マルチトラック録音を利用不可能状態とする。このとき、前記ソースファイルおよびＭＰ３ファイルを適宜クリアするようにしてもよい。
【００６１】
次に、前記Ｅ．ダウンロード配信処理について説明する。
【００６２】
ユーザが自宅に帰り、自身のユーザ端末３０１から共有サーバ２０１にアクセスして、共有サーバ２０１にログインする。ログイン手続の詳細は省略するが、前記会員カードに登録された会員情報と同様の情報が事前にユーザに知らされており、共有サーバ２０１へのログイン前に、ユーザ端末３０１にはこの情報が登録されているので、ユーザ端末３０１は、この情報を共有サーバ２０１に送信してログインする。共有サーバ２０１へのログインが完了すると、共有サーバ２０１は、アクセスしてきた会員情報のユーザが過去にアップロードしたＭＰ３ファイルの名称（およびアップロード日時）一覧をユーザ端末３０１に送信する。これに応じてユーザ端末３０１は、その名称一覧を受信して表示する。ユーザが、表示された名称一覧からいずれかの名称を選択し、選択された名称のＭＰ３ファイルのダウンロードを指示すると、ユーザ端末３０１は、そのダウンロード指示を共有サーバ２０１に送信する。これに応じて共有サーバ２０１は、そのダウンロード指示に応じたＭＰ３ファイルを前記記憶装置から読み出して、ユーザ端末３０１にダウンロード配信する。ユーザ端末３０１は、ダウンロード配信されたＭＰ３ファイルを受信して、自身の記憶装置（図示せず）に保存する。ＭＰ３ファイルは、ユーザ端末３０１上で自由に再生することができる。ここまでが、Ｅ．ダウンロード配信処理についての説明である。
【００６３】
スタジオサーバ１０４は、ログインされている間、ログインユーザの出力指示に応じて前記保存されているＮｔｒ．オーディオデータを読み出して、記録媒体等に出力する。この出力指示は、本実施の形態では、ＵＩ部１０３のディスプレイに対するタッチ操作で行うことにするが、これに限らず、スタジオサーバ１０４の前記入力デバイスを用いて直接行うようにしてもよい。Ｎｔｒ．オーディオデータは、今回録音したものに限らず、過去に録音したものも、スタジオサーバ１０４内に保存できるようになっているので、ログインユーザに対応付けて複数のＮｔｒ．オーディオデータが保存されている場合には、ログインユーザの出力指示に際して、保存されているすべてのＮｔｒ．オーディオデータの名称（および録音日時）一覧がＵＩ部１０３のディスプレイに表示される。ログインユーザは、この名称一覧からいずれかの名称を任意に選択して出力指示を行うと、スタジオサーバ１０４は、選択された名称のＮｔｒ．オーディオデータを読み出して、たとえばＤＶＤ（digital versatile disc）等の所定の記録媒体に出力して記録する。あるいは、当該Ｎｔｒ．オーディオデータを、スタジオサーバ１０４とＬＡＮ（local area network）で接続された編集装置（図示せず）に転送するようにしてもよい。そして、Ｎｔｒ．オーディオデータを出力するに際して、課金するようにしてもよい。
【００６４】
このように本実施の形態では、スタジオ１００内の録音設備を用いてマルチトラック録音を行い、Ｎｔｒ．オーディオデータを生成するようにしたので、高品位な録音データを生成することができる。そして、録音設備はスタジオ１００に据え付けられたものであり、録音に用いる機器のセッティング（各マイクの設置位置および方向や各種信号処理に用いるパラメータの種類および値の選定など）は予めなされていて、ユーザが一々行わなくてもよいので、高品位な録音データを簡単に生成することができる。さらに録音データは、ユーザによる転送指示に応じて、スタジオ１００内のレコーダからスタジオサーバ１０４を介してインターネット上の共有サーバ２０１にアップロードされ、ユーザはいつでも共有サーバ２０１にアクセスすることで、共有サーバ２０１内に保存された録音データをダウンロードすることができるので、ユーザは簡単に録音データを利用することができる。
【００６５】
なお本実施の形態では、オーディオデータ記録・利用システムを利用して、バンド演奏のように複数の演奏者が同時に演奏することで発生した演奏音を録音してＮｔｒ．オーディオデータを生成する例について説明したが、これに限らず、パート毎に演奏して発生した演奏音をパート毎に録音した後、編集してＮｔｒ．オーディオデータを生成するようにしてもよい。
【００６６】
また本実施の形態では、Ｎｔｒ．オーディオデータからＭＰ３ファイルを生成する処理（前記Ｃ．生成処理）と、生成したＭＰ３ファイルを共有サーバ２０１に転送（アップロード）する処理（前記Ｄ．転送処理）とを、ユーザが前記図４（ｇ）の保存画面内の「保存する」ボタンをタッチしたことに応じて、続けて行うようにしたが、これに限らず、Ｃ．生成処理とＤ．転送処理とを、ユーザによる別々の指示に応じて行うようにしてもよい。
【００６７】
さらに本実施の形態では、ソースファイルは、スタジオサーバ１０４に保存されるものの、共有サーバ２０１には保存されないが、これに限らず、ＭＰ３ファイルと一緒に共有サーバ２０１にアップロードするようにして、スタジオサーバ１０４にも共有サーバ２０１にも保存されるようにしてもよい。一方、ＭＰ３ファイルは、本実施の形態では、共有サーバ２０１には保存されるものの、スタジオサーバ１０４には保存されないが、これに限らず、スタジオサーバ１０４にも保存されるようにしてもよい。
【００６８】
また本実施の形態では、マイク等から入力されたアナログオーディオ信号に対するデジタル変換等の信号処理をマイク入力等とｍｉｘバス１０１ｆの間で行うようにしたが、これに限らず、マイク入力等とレコーダ１０２の間のいずれの位置で行うようにしてもよいし、レコーダ１０２に入力された後に行うようにしてもよい。
【００６９】
パートあるいは天井マイクと、これに対応する入力ｃｈとの関係は、図２等に例示したものに限らない。たとえば、アコースティックピアノ（生ピアノ）用の個別マイクを２台設置し、２ｃｈにて入力するようにしてもよい。また、録音モードあるいはパート毎に数種類の設定パターンを用意しておき、いずれか１つのパターンをユーザに選択させるようにしてもよい。具体的には、たとえば「ベース」パートの場合、
ベースセッティング１：ベースアンプのライン出力１ｃｈ、割り当て入力ｃｈ＝８ｃｈ（図２と同様）
ベースセッティング２：ベースアンプのライン出力２ｃｈ、割り当て入力ｃｈ＝８ｃｈ，９ｃｈ
…などである。さらに自由度を持たせて、パートが選択される度に入力ｃｈ１０１ｅから空きｃｈを捜し、そのｃｈに動的に割り当てるようにしてもよい。また本実施の形態では、天井マイクに対応する入力ｃｈは、パートに対応する入力ｃｈと別個に設けるようにしたが、入力ｃｈは共用とし、録音モードの選択に応じて入力ｃｈに供給する信号（および信号処理パラメータ）を切り替えるようにしてもよい。
【００７０】
さらに本実施の形態では、ミックスオーディオファイルのフォーマットとして、ソースデータを圧縮するＭＰ３フォーマットを採用したが、これに限らず、たとえばＡＡＣ（Advanced Audio Coding）やＭＰ４などの他の圧縮フォーマットや、非圧縮の音声フォーマット等任意のフォーマットを採用しても構わない。
【００７１】
なお本実施の形態では、スタジオ１００内の各装置が一体となってオーディオデータ記録装置を構成するものとしたが、装置構成は、適宜変更してもよい。たとえば、レコーダ１０２とスタジオサーバ１０４とを１つの装置として構成してもよいし、オーディオ信号処理部１０１、レコーダ１０２、ＵＩ部１０３およびスタジオサーバ１０４を単一の装置として構成してもよいし、あるいは、ＵＩ部１０３を実現する装置と他の部分を実現する装置とに分けて構成してもよい。
【００７２】
ＵＩ部１０３のディスプレイ上の表示画面内の要素のデザインや配置、表示画面の遷移の順序などは、前記図４に例示したものに限られる訳ではなく、適宜変更してもよい。
【００７３】
スタジオサーバ１０４に保存された過去のＮｔｒ．オーディオデータは、本実施の形態では、記録媒体等に出力されるのみであったが、これに加えて、スタジオサーバ１０４あるいはＵＩ部１０３にて適宜再生（試聴）できるようにしてもよい。
【００７４】
ミックスオーディオファイル（ＭＰ３ファイル）は、本実施の形態では、２ｃｈ（ステレオ）としたが、これに限らず、モノラルあるいは３以上のチャンネル（サラウンド等）にミキシングしてもよい。
【００７５】
スタジオサーバ１０４へのログイン手続およびログオフ手続は、本実施の形態では、ユーザ（利用者）が行うこととしたが、これに限らず、あるいはこれに加えて、管理者等が利用者に代行して行うようにしてもよい。この場合、利用者によるログイン手続およびログオフ手続自体を省略するようにしてもよい。
【００７６】
スタジオサーバ１０４へログインすると、本実施の形態では、レコーダ１０２でのオーディオデータ記録が利用可能状態となったが、これに限らず、レコーダ１０２やＵＩ部１０３が起動するようにしてもよい。一方、スタジオサーバ１０４からログオフすると、本実施の形態では、レコーダ１０２でのオーディオデータ記録が利用不可能状態となったが、これに限らず、レコーダ１０２やＵＩ部１０３がシャットダウンするようにしてもよい。
【００７７】
共有サーバ２０１からのＭＰ３ファイルの配信は、本実施の形態では、ダウンロード配信を採用したが、これに限らず、あるいはこれに加えて、ストリーム配信を採用してもよい。また、スタジオサーバ１０４から共有サーバ２０１へアップロードされる際のファイルのフォーマットと、共有サーバ２０１からユーザ端末３０１へ配信される際のファイルのフォーマットとを異ならせてもよい。その場合、ファイルの配信に際して、適宜そのフォーマットを変換するようにしてもよい。
【００７８】
本実施の形態では、ミックスオーディオファイル（ＭＰ３ファイル）を共有サーバ２０１へアップロードする場合には、ユーザ情報も添付し、当該ユーザ情報に基づいてリクエストユーザに対応するファイルを識別し、ユーザは自身のユーザ情報に対応付けられたミックスオーディオファイルのダウンロードを行うようにしたが、アップロードした各ミックスオーディオファイルにはそれぞれユニークなＵＲＬが対応付けられるように構成し、スタジオサーバ１０４あるいは共有サーバ２０１がユーザに対してユニークなＵＲＬを通知するようにしてもよい。この場合、共有サーバ２０１側でのユーザ管理等が基本的に不要になるため、共有サーバ２０１の構成を簡略化できる。
【００７９】
なお、上述した実施の形態の機能を実現するソフトウェアのプログラムコードを記録した記憶媒体を、システムまたは装置に供給し、そのシステムまたは装置のコンピュータ（またはＣＰＵやＭＰＵ）が記憶媒体に格納されたプログラムコードを読出し実行することによっても、本発明の目的が達成されることは言うまでもない。
【００８０】
この場合、記憶媒体から読出されたプログラムコード自体が本発明の新規な機能を実現することになり、そのプログラムコードおよび該プログラムコードを記憶した記憶媒体は本発明を構成することになる。
【００８１】
プログラムコードを供給するための記憶媒体としては、たとえば、フレキシブルディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭなどを用いることができる。また、通信ネットワークを介してサーバコンピュータからプログラムコードが供給されるようにしてもよい。
【００８２】
また、コンピュータが読出したプログラムコードを実行することにより、上述した実施の形態の機能が実現されるだけでなく、そのプログラムコードの指示に基づき、コンピュータ上で稼働しているＯＳなどが実際の処理の一部または全部を行い、その処理によって上述した実施の形態の機能が実現される場合も含まれることは言うまでもない。
【００８３】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって上述した実施の形態の機能が実現される場合も含まれることは言うまでもない。
【符号の説明】
【００８４】
１０１…オーディオ信号処理部（オーディオデータ記録装置），１０２…レコーダ（オーディオデータ記録装置），１０３…ＵＩ部（オーディオデータ記録装置），１０４…スタジオサーバ，２０１…共有サーバ，３０１…ユーザ端末
【図１】
0005822175.tif 000002
【図２】
0005822175.tif 000003
【図３】
0005822175.tif 000004
【図４】
0005822175.tif 000005